(57)【要約】【課題】具入りスープ類を均一に攪拌できる容器内からカップに小分けできるようにし、容器内に具入りスープ類が無くなる前に、自動的に具入りスープ類を容器内に投入する具入りスープ類の自動販売機を提供する。【解決手段】具入りスープ類を攪拌混合する容器と、該容器の下端開口に連通する具入りスープ類を一定量取出し吐出する定量切出弁とを具備する具入りスープ類の小分け装置と、前記具入りスープ類を攪拌混合する容器の重量を測る秤と、一定の重量に減じたことを該秤が検知すると、モータのオン信号を発し、このオン信号で具入りスープ類を攪拌しながら収容した容器の移送ポンプをオンし、具入りスープ類を配管を通して、前記具入りスープ類を攪拌混合する容器内に一定量注入充填し、一定量注入充填すると、前記秤がこれを検知しオフ信号を発して前記移送ポンプをオフすることを特徴とする。【選択図】図１
2010222033.tif 000002
【特許請求の範囲】
【請求項１】
具入りスープ類を攪拌混合する容器と、該容器の下端開口に連通する具入りスープ類を一定量取出し吐出する定量切出弁とを具備する具入りスープ類の小分け装置と、前記具入りスープ類を攪拌混合する容器の重量を測る秤と、一定の重量に減じたことを該秤が検知すると、モータのオン信号を発し、このオン信号で具入りスープ類を攪拌しながら収容した容器の移送ポンプをオンし、具入りスープ類を配管を通して、前記具入りスープ類を攪拌混合する容器内に一定量注入充填し、一定量注入充填すると、前記秤がこれを検知しオフ信号を発して前記移送ポンプをオフすることを特徴とする具入りスープ類の自動販売機。
【請求項２】
前記秤が、ロードセルである請求項１記載の自動販売機。
【請求項３】
前記定量切出弁は、前記容器の下端開口に連通する吸引口と小分け充填する容器への吐出口とを有する定量切出弁本体と、該定量切出弁本体に回動自在に嵌合させた内筒と、該内筒内に摺動自在に嵌合させたピストンと、前記内筒に形成された貫通孔とを具備し、該内筒の貫通孔が前記定量切出弁本体の吸引孔と連通すると、前記ピストンは後退して内筒内に所定量の具入りスープ類を充填し、前記内筒の貫通孔が前記定量切出弁本体の吐出孔と連通すると、前記ピストンは前進して、前記連通した吐出孔から具入りスープ類を吐出するように構成されている請求項１又は２記載の自動販売機。
【請求項４】
前記定量切出弁本体は、先端が閉鎖した円筒状内面を有する請求項３記載の自動販売機。
【請求項５】
自動販売機にお金を入れると、供給できる商品にランプが点灯し、購入する商品のボタンを押すと、第一のモータのオン信号を発し、第一のモータが回転し、内筒の貫通孔が定量切出弁本体の吸引孔と連通する状態でピストンが引かれて、内筒内に一定量の具入りスープ類が収容されると第一のモータが停止し、同時に第二のモータがオンし、内筒が半回転して内筒の貫通孔が前記定量切出弁本体の吐出孔と連通すると、第二のモータが停止し、同時に第一のモータがオンし、ピストンが押されて、具入りスープ類をカップ内に注入すると、第一のモータが停止するようにプログラミングする請求項３又は４記載の自動販売機。
【請求項６】
具入りスープが満たされたカップは、取り出し口から取り出すが、取り出し口の自動ドアは、通常は開くようになっており、所定の位置にカップを置いて購入する具入りスープ類のボタンを押すと、自動的にドアが閉まり、カップ内への具入りスープ類の注入が終わると、自動的にドアが開くようにプログラミングされている請求項１〜５のいずれかに記載の自動販売機。
【発明の詳細な説明】
【技術分野】
【０００１】
この発明は、コーンスープ、カレースープ、ミネソタローネ、豚汁、味噌汁、グリーンスープ等の具入りスープ類の一定量をカップ内に供することができる具入りスープ類の自動販売機に関する。
【背景技術】
【０００２】
液体中に肉類や野菜類が混入しているコーンスープ、カレースープ、ミネソタローネ、豚汁、味噌汁、グリーンスープ等の具入りスープ類を、そのままカップ内に供する自動販売機は知られていない。
最近は、昼食に弁当やパンを購入する人が増えているので、自動販売機で供する商品としては、緑茶等よりも、味噌汁やスープ等の要望が強かったが、味噌汁等の具入りスープ類を供する自動販売機は未だ存在しない。
【０００３】
粉末状の原料をカップ内に供した後、お湯をカップ内に注入する自動販売機が提案されている（特許文献１）が、これは、単に即席味噌汁にお湯を注いだのと同じであるので、現実にはこの自動販売機は、本発明者の知る限り、どこにも設置されていない。
【０００４】
具入りスープ類の自動販売機が知られていなかったのは、具入りスープ類を容易に小分けすることができなかったからであるが、本発明者は具入りスープ類を容易に小分けする装置を既に開発し、多くの特許を取得している。
本発明者は、このものを使用して自動販売機とすることを考えたが、無人の状態でも多数杯の具入りスープ類をカップに取れるようにするには、非常に大きな容器内に具入りスープ類を入れて小分けしなければならないが、それでは均一に小分けすることは困難であり、均一にしようとすると激しく攪拌しなければならないので、具の型崩れを起こす問題が生じる。
【先行技術文献】
【特許文献】
【０００５】
【特許文献１】特開平７−２２０１６２
【発明の概要】
【発明が解決しようとする課題】
【０００６】
この発明は、このような点に着目してなされたものであり、具入りスープ類を均一に攪拌できる容器内からカップに小分けできるようにし、容器内に具入りスープ類が無くなる前に、自動的に具入りスープ類を容器内に投入する味噌汁等の具入りスープ類の自動販売機を提供することを目的とする。
【課題を解決するための手段】
【０００７】
本発明者は、上記目的を達成するため鋭意研究の結果、小分けする具入りスープ類を収容した容器が空に近くなると、それを秤で検知してモータをオンし、自動的に容器内に具入りスープ類を注入し得ることを想到し、本発明に到達した。
【０００８】
即ち本発明は、具入りスープ類を攪拌混合する容器と、該容器の下端開口に連通する具入りスープ類を一定量取出し吐出する定量切出弁とを具備する具入りスープ類の小分け装置と、前記具入りスープ類を攪拌混合する容器の重量を測る秤と、一定の重量に減じたことを該秤が検知すると、モータのオン信号を発し、このオン信号で具入りスープ類を攪拌しながら収容した容器の移送ポンプをオンし、具入りスープ類を配管を通して、前記具入りスープ類を攪拌混合する容器内に一定量注入充填し、一定量注入充填すると、前記秤がこれを検知しオフ信号を発して前記移送ポンプをオフすることを特徴とする。
【０００９】
前記秤としては、ロードセルを使用するのが好ましい（請求項２）。
前記定量切出弁は、前記容器の下端開口に連通する吸引口と小分け充填する容器への吐出口とを有する定量切出弁本体と、該定量切出弁本体に回動自在に嵌合させた内筒と、該内筒内に摺動自在に嵌合させたピストンと、前記内筒に形成された貫通孔とを具備し、該内筒の貫通孔が前記定量切出弁本体の吸引孔と連通すると、前記ピストンは後退して内筒内に所定量の具入りスープ類を充填し、前記内筒の貫通孔が前記定量切出弁本体の吐出孔と連通すると、前記ピストンは前進して、前記連通した吐出孔から具入りスープ類を吐出するように構成するのが好ましい（請求項３）。前記定量切出弁本体は、先端が閉鎖した円筒状内面を有するのが好ましい（請求項４）。
【００１０】
自動販売機にお金を入れると、供給できる商品にランプが点灯し、購入する商品のボタンを押すと、第一のモータのオン信号を発し、第一のモータが回転し、内筒の貫通孔が定量切出弁本体の吸引孔と連通する状態でピストンが後退して、内筒内に一定量の具入りスープ類が収容されると第一のモータが停止し、同時に第二のモータがオンし、内筒が半回転して内筒の貫通孔が前記定量切出弁本体の吐出孔と連通すると、第二のモータが停止し、同時に第一のモータがオンし、ピストンが前進して、具入りスープ類をカップ内に注入すると、第一のモータが停止するようにプログラミングするのが好ましい（請求項５）。
【００１１】
具入りスープが満たされたカップは、取り出し口から取り出すが、取り出し口の自動ドアは、通常は開くようになっており、所定の位置にカップを置いて購入する具入りスープ類のボタンを押すと、自動的にドアが閉まり、カップ内への具入りスープ類の注入が終わると、自動的にドアが開くようにプログラミングするのが、購入者が誤って火傷をするのが防止できることから好ましい（請求項６）。
【発明の効果】
【００１２】
本発明によれば、カレースープ、豚汁、コーンスープ等の具入りスープ類を自動販売機でカップ内に供することに世界で初めて成功したものであるから、特に弁当、おにぎり、パン等と一緒に食事するのに極めて好適であり、新しい昼食形態を提供することができる。
【図面の簡単な説明】
【００１３】
【図１】本発明の自動販売機の内部の状態を示す概略側面図である。
【図２】本発明の自動販売機の斜視図である。
【発明を実施するための形態】
【００１４】
次に、本発明の実施の形態を図面に基づいて説明する。
具入りスープ類を収容したホッパー(容器)１内には、攪拌モータ２で回転する攪拌羽根３が配設されている。ホッパー１内の具入りスープ類は、ＩＨ基盤(ＩＨヒータ)４により適当な温度に加熱されるようになっている。
ホッパー１下端開口には、具入りスープ類を一定量取出し吐出する定量切出弁５が接続されている。定量切出弁５の下方には、ドレン受け６上に、カップ７が載置されている。
【００１５】
図中８は、取出口自動ドアであり、通常は開くようになっており、所定の位置にカップ７を置いて購入する具入りスープ類のボタンを押すと、自動的にドアが閉まり、カップ内への具入りスープ類の注入が終わると、自動的にドアが開くようにプログラミングされている。このようにすることによって、誤って熱い具入りスープ類で火傷をする恐れをなくすことができる。
【００１６】
ドレン受け６の後方(図１の右側)には、具入りスープ類を収容したホッパー１と定量切出弁５を含む小分け装置の重量がかかるロードセル(秤)９が配置されている。
ドレン受け６の下方には、コップ出し器１０が固定され、コップ出し器１０の下方には、具入りスープ類を収容するストレージホッパー１１が置かれている。ストレージホッパー１１内を所定の温度に加熱するため、ストレージホッパー１１は、ＩＨヒータ(ストレージスープ保温)１２上に置かれて、適当な温度に加熱されている。ストレージホッパー１１の下端部は、移送ポンプ１６と連通し、具入りスープは、移送ポンプ１６により、配管１８を通して、ホッパー１内に投入されるようになっている。移送ポンプ１６は、架台２１上に置かれて、ストレージホッパー１１下端と同じ高さになっている。尚、図中、１３は温度制御機であり、１４は攪拌機１５を回転させる攪拌モータである。
【００１７】
ホッパー１内の具入りスープ類が、予め設定した一定の重量に減ずると前記ロードセル９から発したオン信号で具入りスープ類を攪拌しながら収容したストレージホッパー１１の具入りスープ移送ポンプ１６をモータ１７で駆動し、具入りスープ類を配管１８を通して、継ぎ足し開口口１９から攪拌混合する容器１内に一定量注入充填する。ロードセル９が一定の重量になったことを検知すると、オフ信号を発し、モータ１７、移送ポンプ１６は停止する。
このようにすることによって、ホッパー１内の具入りスープは、ストレージホッパー１１内の具入りスープ類が空になるまで、無くなりかけると自動的に充填される。
【００１８】
前記定量切出弁５は、前記容器１の下端開口に連通する吸引口と小分け充填する容器への吐出口とを有する先端が閉鎖した円筒状の内面を有する定量切出弁本体と、該定量切出弁本体に回動自在に嵌合させた内筒と、該内筒内に摺動自在に嵌合させたピストンと、前記内筒に形成された貫通孔とを具備し、該内筒の貫通孔が前記定量切出弁本体の吸引孔と連通すると、前記ピストンは後退して内筒内に所定量の具入りスープ類を充填し、前記内筒の貫通孔が前記定量切出弁本体の吐出孔と連通すると、前記ピストンは前進して、前記連通した吐出孔２０から具入りスープ類を吐出するように構成されている。
【００１９】
定量切出弁５の内筒を回転させるクラッチ２２には、ピストンシャフトが進退自在に嵌合し、ピストンシャフトはラックギア２３に連結されている。クラッチ２２には、ピストンシャフトに外嵌して歯車２５が固定され、該歯車２５は、内筒を回転させるモータ２４の回転軸に固定された歯車２６に歯合している。
ラックギア２３は、吐出制御モータ２７の回転軸に連結した歯車でリニアガイド２８に案内されて移動し、ピストンを前進・後進させる。尚、図中２９は、ネオン灯、３０は攪拌機ＢＯＸ、３１は制御基板、３２は電源基盤、３３はＩＨコイルＢＯＸ、３４は自動販売機本体である。
【００２０】
上記実施例では、図２に示すように。３台の小分け装置３５が並設され、３種類の具入りスープ類が出るようになっている。お金を投入すると、どれを選択するかの表示が出る。一つ選択すると、残金がある場合は、更に選択するかどうかの表示が出る、そこで選択しないを押すとおつりがでるようになっている。これは、現在市販の自動販売機と同じである。
【００２１】
自動販売機３４にお金を投入すると、供給できる商品にランプが点灯する。購入する商品のボタンを押すと、モーターをオンする信号を発する。それから予めプログラミングされているようにモーターのオン、オフが行われて、カップに一杯の具入りスープが注入される。
【００２２】
即ち、購入する商品のボタンを押すとモータのオン信号を発し、第一のモータ２７が回転して回転軸に固定した歯車が回転し、該歯車と歯合するラックギア２３が後進して、内筒の貫通孔が定量切出弁本体の吸引孔と連通する状態でピストンが引かれて、内筒内に一定量の具入りスープ類が収容されると、第一のモータ２７は停止し、同時に第二のモータ２４が回転し、モータの回転軸に固定した歯車２６に歯合した歯車２５が回転し、歯車２５を固定したクラッチ２２が回転して、内筒が半回転して内筒の貫通孔が前記定量切出弁本体の吐出孔と連通すると、第二のモータ２４が停止し、同時に第一のモータ２７が前記と逆回転してラックギアー２３が前進し、ピストンが押されて、具入りスープをカップ内に投入すると、第一のモータ２７がオフするようにプログラミングされている。
【産業上の利用可能性】
【００２３】
本発明によれば、カレースープ、豚汁、コーンスープ等の具入りスープ類を自動販売機でカップ内に供することに世界で初めて成功したものであるから、特に弁当、おにぎり、パン等と一緒に食事するのに極めて好適であり、新しい昼食形態を提供することができる。
【符号の説明】
【００２４】
１・・・・・・・・・・・ホッパー(容器)
３・・・・・・・・・・・攪拌羽根
４・・・・・・・・・・・ＩＨ基盤
５・・・・・・・・・・・定量切出弁
７・・・・・・・・・・・カップ
８・・・・・・・・・・・取出口自動ドア
９・・・・・・・・・・・ロードセル(秤)
１０・・・・・・・・・・・カップ出し器
１１・・・・・・・・・・ストレージホッパー
１２・・・・・・・・・・ＩＨヒータ
１６・・・・・・・・・・移送ポンプ
１８・・・・・・・・・・配管
１９・・・・・・・・・・継ぎ足し開口口
２２・・・・・・・・・・内筒を回転させるクラッチ
２３・・・・・・・・・・ラックギア
２８・・・・・・・・・・リニアガイド
３４・・・・・・・・・・自動販売機本体
３５・・・・・・・・・・小分け装置
【図１】
2010222033.tif 000003
【図２】
2010222033.tif 000004